(57)【要約】【課題】制御回路の共用化を実現しコストダウンを図る。【解決手段】商用電源１を入力し各種２次側電源を構成する電源トランス２と、電源トランス２の第１の２次側電源の電圧変動を監視することで１次側電源の電圧変動を監視する第１の制御回路９と、燃焼バーナへ空気を送る燃焼ファン１５と、燃焼ファン１５の回転数を検知する第１のセンサーと、各種制御回路を制御するマイコン４と、第１のセンサーからの信号をマイコン４へ入力する第２の制御回路１２とを備えている。これによって１次側の電圧変動に対し燃焼ファン１５が安定して制御される。また、１次側の電圧変動を２次側で監視しているので、制御回路の簡素化と共用化を実現することができる。【選択図】図１
2006105497.tif 000002
【特許請求の範囲】
【請求項１】
商用電源を入力し各種２次側電源を構成する電源トランスと、前記電源トランスの第１の２次側電源の電圧変動を監視することで１次側電源の電圧変動を監視する第１の制御回路と、燃焼バーナへ空気を送る燃焼ファンと、前記燃焼ファンの回転数を検知する第１のセンサーと、各種制御回路を制御するマイコンと、前記第１のセンサーからの信号を前記マイコンへ入力する第２の制御回路とを備え、１次側の電圧変動に対し前記燃焼ファンが安定して制御される燃焼ファンの制御回路。
【請求項２】
第１の２次側電源において、接続される負荷の変動に対し電圧変動のない２次側電圧となる請求項１記載の燃焼ファンの制御回路。
【請求項３】
第１の２次側電源において、フレームロッドへの印加電源を使用する請求項１記載の燃焼ファンの制御回路。
【発明の詳細な説明】
【技術分野】
【０００１】
本発明は燃焼ファンの制御回路に関し、更に詳しくは、例えばガス給湯機器等に搭載された燃焼ファンの制御回路において、１次側の電圧変動を２次側で監視することにより、該制御回路を簡素化すると共に、グローバルな展開を容易に実現できる燃焼ファンの制御回路に関するものである。
【背景技術】
【０００２】
従来この種のガス給湯機の燃焼ファン制御回路は、１次側電源の変動を監視回路で監視し、監視回路からの出力信号を絶縁素子を介して２次側のマイコンへ入力し、また１次側の電圧変動に応じた燃焼ファン回転信号を絶縁素子を介して１次側の燃焼ファンへ出力することによって燃焼ファンの回転数補正を行っていた（例えば、特許文献１参照）。
【特許文献１】特開２００２−１６８４４７号公報
【発明の開示】
【発明が解決しようとする課題】
【０００３】
しかしながら、前記従来の構成では、１次側と２次側のインターフェイスには絶縁素子を介しての信号の送受信を行うため、信号の伝達速度が要求される際には非常に不利な条件であった。また、一次側の電圧変動監視のため、海外展開の場合、１次側の電圧が変わるため、電圧監視回路の定数を変更しなければならないので共用性がなく、そのため複数の回路が存在して製造上、管理上信頼性はあまり高くなく、且つコスト的にも不利であった。
【０００４】
本発明は、このようなガス給湯機等の燃焼ファン制御回路において、１次側の電圧変動を２次側で監視することにより、制御回路の簡素化と共用化を図り、燃焼ファンの制御回路の信頼性を向上することを目的とする。
【課題を解決するための手段】
【０００５】
前記従来の課題を解決するために、本発明の燃焼ファンの制御回路は、商用電源を入力し各種２次側電源を構成する電源トランスと、前記電源トランスの第１の２次側電源の電圧変動を監視することで１次側電源の電圧変動を監視する第１の制御回路と、燃焼バーナへ空気を送る燃焼ファンと、前記燃焼ファンの回転数を検知する第１のセンサーと、各種制御回路を制御するマイコンと、前記第１のセンサーからの信号を前記マイコンへ入力する第２の制御回路とを備え、１次側の電圧変動に対し前記燃焼ファンが安定して制御されるように構成されている。
【０００６】
これによって、２次側電源で接続される負荷の変動に対して電圧変動のない２次側電圧を監視することにより、１次側の電圧変動を監視するので、海外展開時でも１次側電圧の監視回路は全世界共用であり、制御回路の簡素化と共用化によって、燃焼ファンの制御回路の信頼性向上をおこなう回路である。
【発明の効果】
【０００７】
本発明の燃焼ファンの制御回路は、１次側の電圧変動を電源トランスの２次側電源で監視することにより、全世界共用の１次側電圧監視回路を２次側で構成することが可能となり、とりわけガス給湯機などの場合には、フレームロッドへの印加電源を使用すれば電圧変動もなく、ガス給湯機の制御回路では必ず単独で存在する電源トランスの２次側の巻き線のため、新たに専用で設けることもない。したがって、燃焼ファンの制御回路を製造するという観点から見ると、簡素化と共用化の実現は勿論のことコスト的にも有利になる。
【発明を実施するための最良の形態】
【０００８】
第１発明は、電源トランスの２次側電源で１次側の電圧変動を監視することにより、２次側に設けられている１次側電圧監視回路は全世界共用が可能であり、回路は１回路のみのため製造上、管理上、信頼性の高い燃焼ファン制御回路を提供することができる。
【０００９】
第２の発明は、第１の発明の第１の２次側電源において、接続される負荷の変動に対して電圧変動のない２次側電圧を使用することにより、１次側の電圧変動を正確に監視出来、また、燃焼ファンの制御回路の誤判定によって回転数は不安定にはならず、安定する。
【００１０】
第３の発明は、第１の発明の第１の２次側電源において、フレームロッドへの印加電源を使用すれば電圧変動もなく、ガス給湯機の制御回路では必ず単独で存在する電源トランスの２次側の巻き線のため、新たに専用で設けることもなく、制御回路の簡素化ができる。
【００１１】
（実施の形態１）
図１は、本発明の実施の形態１におけるガス給湯機の燃焼ファンの制御回路の構成図を示すものである。図１において、電源トランス２の１次側には商用電源１が入力され、燃焼ファン１５が接続されている。電源トランス２の２次側には、各種の電源が構成され、定電圧電源回路を有したマイコン４の電源、あるいは、負荷制御や表示制御用の制御回路３の電源、さらに、フレームロッド回路６に印加するための電源がある。
【００１２】
次ぎに、燃焼ファン１５の制御は、マイコン４からの第１の回転数信号７を第１の制御回路９に入力し、第１の絶縁素子１０を介し、１次側の第２の制御回路１２へ入力され、燃焼ファン１５へ回転数指令電圧１３として入力された後、燃焼ファン１５は回転数指令電圧１３通りの回転数に制御される。
【００１３】
燃焼ファン１５からは現状の回転数信号１４を出力、第２の制御回路１２へ入力され、第２の絶縁素子１１を介し、２次側の第１の制御回路９へ入力さた後、回転数フィードバック信号８としてマイコン４へ入力される。
【００１４】
マイコン４は第１の回転数信号７と回転数フィードバック信号８とを比較し、燃焼ファン１５の回転数を補正する。そしてその差があらかじめ定められた値よりも大きくなると、給湯機の動作を停止させる。
【００１５】
しかしながら、燃焼ファン１５の回転数は商用電源１の変動により変化する。例えば、商用電源１が定格１００ＶＡＣに対しプラス方向に変化すれば回転数は上がる。
【００１６】
本発明は商用電源１の電圧変動を、負荷変動のない２次側のフレームロッド用電圧５の変動に置き換えて、マイコン４で監視する。
【００１７】
フレームロッド用電圧５は負荷による変動がないため、変動する要素は商用電源１の電圧変動時のみである。従って、フレームロッド用電圧５を監視することにより、商用電源１の電圧変動を監視することが可能である。
【産業上の利用可能性】
【００１８】
以上のように、本発明にかかる燃焼ファンの制御回路は、電源トランスの２次側電源で１次側の電圧変動を監視することにより、全世界共用の１次側電圧監視回路を２次側で構成することが可能であり、扇風機、換気扇などのファン制御を伴う機器に適用できる。
【図面の簡単な説明】
【００１９】
【図１】本発明の実施の形態１におけるガス給湯機の燃焼ファンの制御回路図
【符号の説明】
【００２０】
１  商用電源
２  電源トランス
３  その他の制御回路
４  マイコン
５  フレームロッド用電圧
６  フレームロッド回路
７  第１の回転数信号
８  回転数フィードバック信号
９  第１の制御回路
１０  第１の絶縁素子
１１  第２の絶縁素子
１２  第２の制御回路
１３  回転数指令電圧
１４  現状の回転数信号
１５  燃焼ファン
【図１】
2006105497.tif 000003